(57)【要約】【課題】複数の矢印板ないし表示灯が連動して点滅動作する連動矢印表示装置および連動表示灯装置であって、広範囲に亘って設置可能なものを提供する。【解決手段】連動矢印表示装置は、道路上に設置される複数の矢印板１００が連動して点滅動作するものである。各々の矢印板１００は、点滅動作する矢印型の発光部１１１を有する本体１１０と、発光部１１１の点滅動作を制御する制御部１２０とを含む。制御部１２０は、発光部１１１の点滅動作および点滅タイミングに関する信号を受信する受信部１２１Ａ、および、発光部１１１の点滅動作および点滅タイミングに関する信号を外部に発信する発信部１２１Ｂを有する。各々の矢印板１００を起動させた後、各々の矢印板１００に対してＩＤ番号（順位）が付与される。最上位の順位が付与された親機以外の点滅動作は、順位が１つ上の矢印板１００が発した信号に基づいて制御される。【選択図】図１３
2014020033.tif 000002
【特許請求の範囲】
【請求項１】
道路上に設置される複数の矢印板を備え、前記複数の矢印板が連動して点滅動作する連動矢印表示装置であって、
各々の前記矢印板は、
点滅動作する矢印型の発光部を有する本体と、
前記発光部の点滅動作を制御する制御部とを含み、
前記制御部は、前記発光部の点滅動作および点滅タイミングに関する信号を通信するトランシーバーと、前記点滅動作のタイミングを司るタイミングタイマーとを有し、
各々の前記矢印板を起動させた後、各々の前記矢印板に対して順位が付与され、前記複数の矢印板のうち最上位の順位が付与された親機以外の前記タイミングタイマーは、前記順位が１つ上の矢印板が発信した信号に基づいて制御される、連動矢印表示装置。
【請求項２】
前記複数の矢印板に対する順位は、前記起動の順番に従って順次付与される、請求項１に記載の連動矢印表示装置。
【請求項３】
前記連動矢印表示装置は、複数パターンの点滅動作を実現可能であり、
前記制御部は、前記点滅動作のパターンを切り換えるためのモード切換スイッチを有し、
前記親機の切換スイッチを操作することによって、前記点滅動作のパターンが切り換えられる、請求項１または請求項２に記載の連動矢印表示装置。
【請求項４】
前記複数の矢印板は、少なくとも前記発光部および前記制御部に電力を供給する電源装置をさらに有し、
前記電源装置は、太陽電池およびバッテリを含む、請求項１から請求項３のいずれかに記載の連動矢印表示装置。
【請求項５】
道路上に設置される複数の表示灯を備え、前記複数の表示灯が連動して点滅動作する連動表示灯装置であって、
各々の前記表示灯は、
点滅動作する発光部を有する本体と、
前記発光部の点滅動作を制御する制御部とを含み、
前記制御部は、前記発光部の点滅動作および点滅タイミングに関する信号を受信する受信部、および、前記発光部の点滅動作および点滅タイミングに関する信号を外部に発信する発信部を有し、
各々の前記表示灯を起動させた後、各々の前記表示灯に対して順位が付与され、前記複数の表示灯のうち最上位の順位が付与された親機以外の点滅動作は、前記順位が１つ上の表示灯が発信した信号に基づいて制御される、連動表示灯装置。
【発明の詳細な説明】
【技術分野】
【０００１】
本発明は、道路上に仮設され、複数の矢印板ないし表示灯が連動して点滅動作する連動矢印表示装置および連動表示灯装置に関する。
【背景技術】
【０００２】
道路上で工事を行なう際に車線規制を行なう場合、矢印板を複数並べることが広く行なわれている。このような矢印板としては、受けた光を反射させる反射式のものと、点滅動作して自ら発光する発光式のものとがある。
【０００３】
発光式の矢印板には、各々が独立して点滅動作を行なうものと、複数の矢印板が連動して点滅動作を行なうものとがある。通行車両の運転者に視認させやすくする観点からは、各々が独立して点滅動作するよりも、複数の矢印板が連動して点滅動作する方が好ましい。
【０００４】
実用新案登録第３１６５４４８号公報（特許文献１）には、複数の矢印板（２）が連動して点滅動作する連動矢印板装置において、複数の矢印板（２）に手元操作部（３）から非接触で同時に制御信号を送ることが示されている。
【０００５】
特許文献１においては、作業員が手元操作部（３）を操作することにより発光部（１２）を発光させるとされている。さらに、特許文献１においては、手元操作部（３）から非接触状態で制御信号を送るため、矢印板（２）同士を通信ケーブルで接続する必要がなく、現場において、間隔をおいて複数の矢印板（２）を簡便に配置することができるとされている。
【先行技術文献】
【特許文献】
【０００６】
【特許文献１】実用新案登録第３１６５４４８号公報
【発明の概要】
【発明が解決しようとする課題】
【０００７】
特許文献１に記載の連動矢印板装置では、矢印板（２）を配置した後に、複数の矢印板（２）に手元操作部（３）から非接触で同時に制御信号を送るため、手元操作部（３）からの信号が到達可能な範囲に複数の矢印板（２）を配置しなければならない。よって、矢印板（２）の設置範囲が、手元操作部（３）からの信号が到達可能な範囲に限定される。
【０００８】
本発明は、上記のような問題に鑑みてなされたものであり、本発明の目的は、複数の矢印板ないし表示灯が連動して点滅動作する連動矢印表示装置および連動表示灯装置であって、広範囲に亘って設置可能なものを提供することにある。
【課題を解決するための手段】
【０００９】
本発明に係る連動矢印表示装置は、道路上に設置される複数の矢印板を備え、複数の矢印板が連動して点滅動作するものである。
【００１０】
複数の矢印板は、各々、点滅動作タイミングを司るタイマー（タイミングタイマー）を備える。矢印板が連動して点滅動作させるためには、各々のタイミングタイマーのリセットされる時刻（リセットタイミング）のずれが、所定の範囲内（たとえば1msec）に収まっていれば、すなわち、リセットタイミングが複数の矢印板に亘って揃っていればよい。
【００１１】
上記リセットタイミングを複数の矢印板に亘って揃えることは、タイマーアジャストコマンド（Timer Adjustコマンド）を無線通信によりやり取りすることにより行なう。無線通信を安価に行なうためには、単一バンドのトランシーバーを使用することが望ましい。また、広範囲に亘って矢印板を設置可能とするためには、無線通信の衝突、混信を防ぎつつ、タイマーアジャストコマンドのやり取りを行なう必要がある。本発明では、以下で詳説する、所謂「バケツリレー方式」により、無線信号の衝突、混信を避けながら、複数の矢印板の端から端へタイマーアジャストコマンドを伝送する。
【００１２】
本発明に係る連動矢印表示装置において、各々の矢印板は、点滅動作する矢印型の発光部を有する本体と、発光部の点滅動作を制御する制御部とを含む。制御部は、発光部の点滅動作および点滅タイミングに関する信号を通信するトランシーバーを有する。
【００１３】
本発明に係る連動矢印表示装置においては、各々の矢印板を起動させた後、各々の矢印板に対して順位が付与され、複数の矢印板のうち最上位の順位が付与された親機以外のタイミングタイマーは、順位が１つ上の矢印板が発した信号（タイマーアジャストコマンド）に基づいて制御される。個々の矢印板における点滅動作は、上記タイミングタイマーによって制御される。
【００１４】
なお、本明細書において、「各々の矢印板を起動させた後」は、「各々の矢印板を起動させると同時」をも含む。
【００１５】
１つの実施態様では、上記連動矢印表示装置において、複数の矢印板に対する順位は、起動の順番に従って順次付与される。
【００１６】
１つの実施態様では、上記連動矢印表示装置において、連動矢印表示装置は、複数パターンの点滅動作を実現可能であり、制御部は、点滅動作のパターンを切り換えるためのモード切換スイッチを有し、親機の切換スイッチを操作することによって、点滅動作のパターンが切り換えられる。
【００１７】
１つの実施態様では、上記連動矢印表示装置において、複数の矢印板は、少なくとも発光部および制御部に電力を供給する電源装置をさらに有し、電源装置は、太陽電池およびバッテリを含む。
【００１８】
本明細書において、「バッテリ」とは、乾電池のような一次電池と、蓄電池のような二次電池とを双方とも含む。
【００１９】
上述した思想は、連動矢印表示装置のみならず、複数の表示灯が連動して点滅動作する連動表示灯装置の全てに対して適用可能である。
【発明の効果】
【００２０】
本発明によれば、複数の矢印板に対して順位が各々付与され、複数の矢印板のうち最上位の順位が付与された矢印板以外の点滅動作は、順位が１つ上の矢印板が発した信号に基づいて制御されるため、複数の矢印板に対して１箇所（１つの親機）から制御信号を発信する場合と比較して、広範囲に亘って複数の矢印板を設置することができる。
【００２１】
また、本発明においては、上述のとおり、所謂「バケツリレー方式」によりタイマーアジャストコマンドを伝送するため、単一のバンドを使ってのみ通信を行なうことが可能であり、トランシーバーを安価に構成できる。
【００２２】
本発明によれば、連動矢印表示装置のみならず、複数の表示灯が連動して点滅動作する連動表示灯装置の全てについて、上記と同様の効果が得られる。
【図面の簡単な説明】
【００２３】
【図１】本発明の１つの実施の形態に係る連動矢印表示装置における矢印板同士の無線通信の様子を説明するための図である。
【図２】先行技術に係る連動矢印表示装置における矢印板同士の無線通信を説明するための図である。
【図３】本発明の１つの実施の形態に係る連動矢印表示装置における矢印板の電源投入から電源遮断までのモードの遷移を示すフロー図である。
【図４】本発明の１つの実施の形態に係る連動矢印表示装置における複数の矢印板がタイマーアジャストコマンドを通信し、タイミングタイマーのリセットタイミングを揃える様子を説明するための図である。
【図５】タイマーアジャストコマンドの通信における、送受信のタイミングを説明するための図であり、（ａ），（ｂ）は、ペアリングモードにおける送信側、受信側のタイミングチャートを示し、（ｃ），（ｄ）は、リンクモードにおける送信側、受信側のタイミングチャートを示す。
【図６】ペアリングモードにおけるコマンド通信を示す図（その１）である。
【図７】ペアリングモードにおけるコマンド通信を示す図（その２）である。
【図８】ペアリングモードにおけるコマンド通信を示す図（その３）である。
【図９】リンクモードにおけるコマンド通信を示す図（その１）である。
【図１０】リンクモードにおけるコマンド通信を示す図（その２）である。
【図１１】リンクモードにおけるコマンド通信を示す図（その３）である。
【図１２】リンクモードにおけるコマンド通信を示す図（その４）である。
【図１３】本発明の１つの実施の形態に係る連動矢印表示装置における矢印板の構成を示す図である。
【図１４】図１３に示す矢印板に含まれる制御部の構成を示す図である。
【図１５】図１４に示す制御部のブロック図である。
【図１６】図１３に示す矢印板に示す発光部におけるＬＥＤ配列を示す図である。
【図１７】本発明の１つの実施の形態に係る連動矢印表示装置における発光部の点滅動作のパターンを示す図である。
【図１８】発光部の点滅動作における点灯のタイミングを示す（その１）である。
【図１９】発光部の点滅動作における点灯のタイミングを示す（その２）である。
【図２０】本発明の１つの実施の形態に係る連動矢印表示装置における電源装置の切り換え手順を説明するフロー図である。
【図２１】図１５に示す電源切換回路の構成を示す図である。
【発明を実施するための形態】
【００２４】
以下に、本発明の実施の形態について説明する。なお、同一または相当する部分に同一の参照符号を付し、その説明を繰返さない場合がある。
【００２５】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。
【００２６】
本実施の形態に係る連動矢印表示装置は、道路上に仮設され、複数の矢印板が連動して点滅動作するものであり、複数の矢印板を連動させるための信号の通信方式に１つの特徴を有するものである。
【００２７】
まず、図１，図２を用いて、本実施の形態および先行技術に係る連動矢印表示装置における矢印板同士の通信状態を説明する。なお、図１は、本実施の形態に係る連動矢印表示装置を示し、図２は、先行技術に係る連動矢印表示装置を示す。
【００２８】
本実施の形態に係る連動矢印表示装置は、図１に示すように、親機１０と、複数の子機１０Ａとを含む。図１に示す例では、子機１０Ａとして、４つの子機１１〜１４が示されているが、子機１０Ａの数は、これに限定されない。典型的な例では、子機は９個用意されている。
【００２９】
図２の先行技術は、図１と同様、親機１０と４つの子機１１〜１４とを含むものであるが、親機１０から４つの子機１１〜１４の各々に向けて上記の信号（連動動作のための信号）を発信している。よって、４つの子機１１〜１４が、いずれも、親機１０から発信された信号が到達可能な範囲(電波到達距離内）に設置される必要がある。
【００３０】
これに対し、図１に示す本実施の形態では、親機１０と子機１０Ａとの間はもちろん、子機１０Ａ同士が通信を行なうことが可能である。
【００３１】
図３は、矢印板１０〜１４の電源投入から電源遮断までのモードの遷移を示すフロー図である。図３に示すように、親機１０および子機１０Ａの状態は、電源投入（Ｓ１０）から電源遮断（Ｓ４０）までの間に、ペアリング（Pairing）モード（Ｓ２０）、リンク（Link）モード（Ｓ３０）と遷移する。
【００３２】
ペアリングモードでは、親機１０と子機１１〜１４とを区別するための順位（rank）の決定を行なう。親機１０には無条件で１の順位が設定されるが、子機１１〜１４の順位は、ペアリングモードにおける手続きに従って定められる。親機１０および子機１１〜１４は、ペアリングモードからリンクモードへと遷移するが、リンクモードからペアリングモードへと遷移することはない。
【００３３】
矢印板の発光部は、個々の矢印板に内臓されたタイミングタイマーのリセットのタイミングに基づいて発光する。複数の矢印板における発光部の連動は、タイミングタイマーが親機１０と子機１１〜１４とで揃うことにより可能となる。
【００３４】
図４は、複数の矢印板におけるタイミングタイマーのリセットタイミングを揃える様子を説明するための図である。任意のタイミングで電源投入された矢印板のタイマーは、起動のタイミングに応じてリセット時刻が設定される。図４に示すように、リンクモードにおいて、矢印板（rank＝1）は、タイマーアジャストコマンドを送信し、コマンドを受信した矢印板（rank＝2）ののカウンター値の書き換えを行なう。これにより、複数の矢印板（rank＝1,2）におけるタイミングタイマーが揃うことになる。なお、rank＝1の矢印板は、タイマーアジャストコマンドの送信のみを行なうが、rank＝2の矢印板は、rank＝1の矢印板からのタイマーアジャストコマンドの受信と、rank＝3の矢印板へのタイマーアジャストコマンドの送信とを順番に行なう。rank＝3以降の矢印板もrank＝2の矢印板と同様である。
【００３５】
次に、図５〜図１２を用いて、タイマーアジャストコマンドの通信における、送受信のタイミングについて説明する。なお、図５（ａ），（ｂ）は、ペアリングモードにおける送信側、受信側のタイミングチャートを示し、図５（ｃ），（ｄ）は、リンクモードにおける送信側、受信側のタイミングチャートを示す。図６〜図８は、ペアリングモードにおけるコマンド通信を示し、図９〜図１２は、リンクモードにおけるコマンド通信を示す図である。
【００３６】
本実施の形態において、複数の矢印板のうち１番最初に起動させた矢印板には、最上位の順位（rank＝1）が付与される。また、１番最初に起動させる矢印板は、起動時に親機と指定して起動させる。この親機には、２番目以降の矢印板（子機）とは異なり、システム全体の点滅モードとシステム全体の台数（総台数）とが起動時にスイッチ操作により入力される。
【００３７】
rank＝1の矢印板（親機）は、起動直後には、ペアリングモードにあり、自分のrankと総台数を引数にして、ステーションセンスコマンド（Station Senseコマンド）の送信を開始する。ステーションセンスコマンドの送信は、所定の時間（例えば0.1msec）を要し、所定の間隔（例えば0.5msec毎）で所定の回数（例えば80回、4msecの間）、ACKが返信されるまで繰り返される。送信と次の送信との間は、ACKの受信を待つ状態で待機する。送信間隔（例えば0.5msec）のうち、実際に送信に要している時間（例えば0.1msec）以外は、全てACKの受信を待つ受信時間（例えば0.4msec）である。ステーションセンスコマンドの送信は最長で５分間続く（図５（ａ）のＣｈａｒｔ１参照）。
【００３８】
複数の矢印板のうち、２番目以降に起動させる矢印板については、起動時に順位（rank）が定められない。また、２番目以降に起動させた矢印板は、スイッチにより子機と指定して起動させられ、起動直後には、ペアリングモードのステーションセンスコマンドの受信状態にある（図５（ｂ）のＣｈａｒｔ２参照）。ステーションセンスコマンドを受信した矢印板は、ステーションセンスコマンドの引数にあるrankをインクリメントした（１増やす処理をした）値を自身のrankと認識し、自身のrankを引数にACK信号を送信する。
【００３９】
ステーションセンスコマンドの送信後、ACKを受信したrank＝1の矢印板（親機）は、自身のrankを引数にしてクローズペアリングコマンド（Close Pairingコマンド）を送信し、タイマーアジャストコマンドの送信を繰り返すLinkモードへと移行する。所定の時間（たとえば５分間）、ACKの受信ができない時には、インジケーターにエラーである旨の表示を行なう。ステーションセンスコマンドの送信とACKの受信待ちは、所定の回数行なう。（例えば、２回/msecの頻度で８０回）
図６〜図８に示すように、２番目以降に起動した矢印板が、ACK信号を送信後に続けてクローズペアリングコマンドを受け取った場合には、rank＝1の矢印板（親機）と同様に、自身のrankを引数にしてステーションセンスコマンドの送信を行なう。この矢印板は、その後、ACKの受信を待ち、ACKが返って来ればクローズペアリングコマンドを送信しLinkモードへと移行する。
【００４０】
２番目以降に起動した矢印板は、ステーションセンスコマンドを受信後に自身のrankを認識するのであるが、その値が総台数に等しい場合、かかる矢印板は、連動する矢印表示装置の中の最下位の順位の矢印板（rankが最も大きい矢印板）である。最下位の矢印板は、ACKを送信し、その後クローズペアリングコマンドを受信後、ステーションセンスコマンドの送信をせずに、Linkモードへと移行する。
【００４１】
Linkモードに遷移した矢印板は、図９〜図１２に示すように、自身のrankと点滅モードを引数にしてリンクイニシエートコマンド（Link Initiateコマンド）を送信する。送信には所定の時間（例えば0.1msec）を要し、送信後は、所定の時間（例えば0.4msec）受信待機状態となり、ACKが返信されるのを待つ。Linkモードにおいて、リンクイニシエートコマンドを受け取った矢印板は、リンクイニシエートコマンドの引数にあるrankが、自身のrankより１つ小さいなら、そのリンクイニシエートコマンドは自身に向けたものであると認識し、自分のrankを引数にしてACKを返信する。受信したコマンドが自身に向けたリンクイニシエートコマンドでない場合には、受信したコマンドは破棄する。リンクイニシエートコマンドを送信した矢印板は、ACKが返信されるのを待って、タイマーアジャストコマンドを自身のrankを引数にして送信する。タイマーアジャストコマンドを受信した矢印板は動いているタイマーカウンターのカウンター値を所定の値で上書きする。上書きする値は、自身のrank、タイマーカウンターの進行速度、タイマーアジャストコマンドを受信してから上書きが完了するまでの処理速度を加味して決める。また、タイマーアジャストコマンドを送信するタイミングは、自身のrankに基づいて所定のタイミングに決まるのであるが、かかる送信タイミングは、システム全体を構成する矢印板どうしが発信するタイマーアジャストコマンドが、衝突しないように定められる。
【００４２】
次に、図１３を用いて、本実施の形態に係る連動矢印表示装置における矢印板の構成について説明する。なお、本実施の形態に係る複数の矢印板１００は、典型的には、全て同じ構成を有しており、親機、子機の区別はなく、どの矢印板も親機になることができる。親機、子機の区別は、矢印板の設置現場において、矢印板を起動させたときに設定される。
【００４３】
図１３に示すように、矢印板１００は、本体１１０と、制御部１２０と、電源装置１３０とを含む。
【００４４】
本体１１０は、点滅動作する矢印型の発光部１１１を有する。発光部１１１は、３つの矢印部１１１Ａ〜１１１Ｃを有する。３つの矢印部１１１Ａ〜１１１Ｃは、同時に点滅することもできるし、順次点滅することもできる。さらに、３つの矢印部１１１Ａ〜１１１Ｃのうち、中央の矢印部１１１Ｂと、左右の矢印部１１１Ａ，１１１Ｃとが交互に点滅してもよい。
【００４５】
制御部１２０は、発光部１１１の点滅動作を制御する。電源装置１３０は、ソーラー電源１３１と、乾電池１３２とを含む。
【００４６】
次に、図１４，図１５を用いて、制御部１２０の構成について説明する。図１４，図１５に示すように、制御部１２０は、通信モジュール１２１と、ＭＣＵ（Micro Control Unit）１２２と、インジケータ１２３と、表示部１２４と、スイッチ部１２５と、接続部１２６と、電源切換回路１２７と、電源回路１２８と、発光部駆動回路１２９とを含む。
【００４７】
通信モジュール１２１は、発光部１１１の点滅動作および点滅タイミングに関する信号を受信する受信部１２１Ａと、発光部１１１の点滅動作および点滅タイミングに関する信号を外部に発信する発信部１２１Ｂを有する。ＭＣＵ１２２は、制御部１２０における各部の動作を制御する。インジケータ１２３は、ＬＥＤからなり、矢印板１００が他の矢印板１００と連動しているか否かを確認するためのものである。矢印板１００が正常に連動しているとき、インジケータ１２３のＬＥＤが消灯する。
【００４８】
表示部１２４は、ＩＤ表示部１２４Ａと、モード表示部１２４Ｂとを含む。ＩＤ表示部１２４Ａは、当該矢印板１００に割り当てられたＩＤ番号（順位）を表示する。モード表示部１２４Ｂは、複数ある点灯動作モードのうち、現在どのモードで動作しているかを表示する。ＩＤ番号および点灯動作モードの詳細については、後述する。
【００４９】
スイッチ部１２５は、子機ＩＤ設定スイッチ１２５Ａと、モード切換スイッチ１２５Ｂとを含む。
【００５０】
通常、各々の矢印板１００のＩＤ番号は、矢印板１００を起動させた順番に従って自動的に順次割り振られる。具体的には、最初に起動させた矢印板１００は「親機」となり、次に起動させた矢印板１００は「子機１」となり、その次に起動させた矢印板１００は「子機２」となり、その後に起動された矢印板１００は、順次「子機３，４，５，…」となる。
【００５１】
しかし、子機ＩＤ設定スイッチ１２５Ａを操作する（ボタンを押し込む）ことによって、手動で任意のＩＤ番号を割り振ることも可能である。具体的には、子機ＩＤ設定スイッチ１２５Ａを１回押すことで、「ＩＤ番号：１」が割り振られ、２回、３回、４回…と繰り返し押すことで、「ＩＤ番号：２，３，４…」が割り振られる。
【００５２】
モード切換スイッチ１２５Ｂは、点滅動作モードの切り換えを行なうためのスイッチである。点滅動作モードとしては、たとえば、以下のようなものが考えられる。
ｉ）同時点滅タイプ…全ての矢印板１００（親機および子機）の発光部１１１が目視で同時に点滅する様に連動する。
ii）ディレイタイプ
・タイプ１：各矢印板１００において、矢印部１１１Ａ，１１１Ｂ，１１１Ｃの順に、すなわち、右側の矢印部から左側の矢印部に向かって発光部分が流れるように点滅する。全ての矢印板１００が同調して流れるように動作する。
・タイプ２：１枚の矢印板１００の全ての矢印部１１１Ａ，１１１Ｂ，１１１Ｃを点灯（６００ｍｓｅｃ間）させた後、遅れて、隣接する矢印板１００の全ての矢印部１１１Ａ，１１１Ｂ，１１１Ｃを同様に点灯させる。子機３枚毎にこれを繰り返す。
・タイプ３：１枚の矢印板１００の全ての矢印部１１１Ａ，１１１Ｂ，１１１Ｃを点灯（５００ｍｓｅｃ間）させた後、遅れて、隣接する矢印板１００の全ての矢印部１１１Ａ，１１１Ｂ，１１１Ｃを同様に点灯させる。子機５枚毎にこれを繰り返す。
【００５３】
本実施の形態では、親機１０の切換スイッチを操作することによって、点滅動作モードの切り換えが行なわれる。具体的には、矢印板１００を起動した状態では、「同期タイプ」に設定されており、モード切換スイッチ１２５Ｂを１回押すことで、「ディレイタイプ１」に切り換えられ、２回、３回と繰り返し押すことで、「ディレイタイプ２」、「ディレイタイプ３」に切り換えられる。
【００５４】
点滅動作モードは、親機１０のモード表示部１２４Ｂにのみ表示される。具体的には、「同期タイプ」のときは「１」が表示され、「ディレイタイプ１」、「ディレイタイプ２」、「ディレイタイプ３」のときは、「２」、「３」、「４」が各々表示される。
【００５５】
なお、子機１１〜１４のモード表示部１２４Ｂには、常に「０」が表示される。これにより、親機、子機の区別を視認することができる。
【００５６】
接続部１２６は、ソーラー電源１３１に電気的に接続される接続部１２６Ａと、乾電池に電気的に接続される接続部１２６Ｂと、矢印部１１１ＡのＬＥＤに電気的に接続される接続部１２６Ｃと、矢印部１１１ＢのＬＥＤに電気的に接続される接続部１２６Ｄと、矢印部１１１ＣのＬＥＤに電気的に接続される接続部１２６Ｅとを有する。
【００５７】
接続部１２６Ｃ，１２６Ｄ，１２６Ｅは、各々、接続部１２６Ｃ１，１２６Ｃ２、接続部１２６Ｄ１，１２６Ｄ２、接続部１２６Ｅ１，１２６Ｅ２に分かれており、接続部１２６Ｃ１，１２６Ｃ２，１２６Ｄ１，１２６Ｄ２，１２６Ｅ１，１２６Ｅ２は、各々、図１６中のＣ１，Ｃ２，Ｄ１，Ｄ２，Ｅ１，Ｅ２のＬＥＤに電気的に接続されている。
【００５８】
図１７は、本実施の形態に係る連動矢印表示装置における発光部の点滅動作のパターンを示す図である。具体的には、図１７（ａ）、図１７（ｂ）、図１７（ｃ）、図１７（ｄ）は、各々、上述の「同期タイプ」、「ディレイタイプ１」、「ディレイタイプ２」、「ディレイタイプ３」の点滅動作を行なうときの矢印板１００の点滅パターンを示す。
【００５９】
また、図１８は、「ディレイタイプ２」における点灯のタイミングを示し、図１９は、「ディレイタイプ３」における点灯のタイミングを示す。図１８に示すように、「ディレイタイプ２」においては、３番目の子機（子機３）が親機と同じタイミングで点滅し、図１９に示すように、「ディレイタイプ３」においては、５番目の子機（子機５）が親機と同じタイミングで点滅する。
【００６０】
本実施の形態に係る連動矢印表示装置では、所定時間ごとに上記「コマンド通信」を繰り返すことで、長期間に亘って、所望の連動動作を実現することが可能である。
【００６１】
次に、図２０を用いて、電源切換回路１２７による電源装置１３０の切換手順を説明する。なお、電源切換回路１２７は、図２１に示すような構成を有している。
【００６２】
まず、Ｓ１０において、電源切換回路１２７が乾電池１３１（内部電源）に接続されているかを確認する。電源切換回路１２７が乾電池１３２に接続されていないときは、ソーラー電源１３１から電源切換回路１２７に電源を供給する。
【００６３】
Ｓ１０において、電源切換回路１２７が乾電池１３２に接続されているときは、Ｓ２０に進み、電源切換回路１２７がソーラー電源１３１に接続されているかを確認する。電源切換回路１２７がソーラー電源１３１に接続されていないときは、乾電池１３２から電源切換回路１２７に電源を供給する。
【００６４】
Ｓ２０において、電源切換回路１２７がソーラー電源１３１に接続されているときは、Ｓ３０に進み、ソーラー電源１３１の電圧が４Ｖよりも大きいかを確認する。ソーラー電源１３１の電圧が４Ｖよりも大きくないときは、乾電池１３２から電源切換回路１２７に電源を供給する。ソーラー電源１３１の電圧が４Ｖよりも大きいときは、ソーラー電源１３１から電源切換回路１２７に電源を供給する。
【００６５】
なお、ソーラー電源１３１は、ソーラーパネル（図示せず）と蓄電池（図示せず）からなり、蓄電量に応じて端子電圧が変動するものである。
【００６６】
また、本実施の形態では、複数の矢印板が連動して点滅動作する連動矢印表示装置の例について説明したが、同様の考え方は、矢印板のみならず、複数の表示灯が連動して点滅動作する連動表示灯装置の全てに対して適用可能である。
【００６７】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００６８】
１０  親機、１０Ａ，１１〜１４  子機、１００  矢印板、１１０  本体、１１１  発光部、１１１Ａ〜１１１Ｃ  矢印部、１２０  制御部、１２１  通信モジュール、１２１Ａ  受信部、１２１Ｂ  発信部、１２２  ＭＣＵ、１２３  インジケータ、１２４  表示部、１２４Ａ  ＩＤ表示部、１２４Ｂ  モード表示部、１２５  スイッチ部、１２５Ａ  ＩＤ設定スイッチ、１２５Ｂ  モード切換スイッチ、１２６  接続部、１２７  電源切換回路、１２８  電源回路、１２９  発光部駆動回路、１３０  電源装置、１３１  ソーラー電源、１３２  乾電池。
【図１】
2014020033.tif 000003
【図２】
2014020033.tif 000004
【図３】
2014020033.tif 000005
【図４】
2014020033.tif 000006
【図５】
2014020033.tif 000007
【図６】
2014020033.tif 000008
【図７】
2014020033.tif 000009
【図８】
2014020033.tif 000010
【図９】
2014020033.tif 000011
【図１０】
2014020033.tif 000012
【図１１】
2014020033.tif 000013
【図１２】
2014020033.tif 000014
【図１３】
2014020033.tif 000015
【図１４】
2014020033.tif 000016
【図１５】
2014020033.tif 000017
【図１６】
2014020033.tif 000018
【図１７】
2014020033.tif 000019
【図１８】
2014020033.tif 000020
【図１９】
2014020033.tif 000021
【図２０】
2014020033.tif 000022
【図２１】
2014020033.tif 000023